(57)【要約】【課題】平常時には快適な長椅子として使用でき、緊急時には速やかに２台の担架として使用できるように臨機応変な機能を備えた担架兼用長椅子を提供すること。【解決手段】  本発明の上記課題を解決するための第１の手段は、地震・火災・人命救助等の緊急使用時に担架として使用できる背もたれ部９及び、同様に地震・火災・人命救助等の緊急使用時に担架として使用できる座面部１０とを長椅子本体としての袖部２，３、第１横架部材４，第２横架部材５及び第３横架部材６に対して着脱可能としたことを特徴とする担架兼用長椅子である。上記の構成により、救急時には背もたれ部及び座面部を長椅子本体から取り外し、即座に２台の担架として使用できるとともに、分解・組立ても容易であり、災害等の緊急時に間髪を入れずに対応が可能な担架兼用長椅子となっている。【選択図】図１
2012176210.tif 000002
【特許請求の範囲】
【請求項１】
地震・火災・人命救助等の緊急使用時に担架として使用できる背もたれ部及び、同様に地震・火災・人命救助等の緊急使用時に担架として使用できる座面部とを長椅子本体に対して着脱可能としたことを特徴とする担架兼用長椅子。
【請求項２】
前記背もたれ部及び前記座面部は、同一形状に形成され２台の担架として使用できるようにしたことを特徴とする請求項１に記載の担架兼用長椅子。
【請求項３】
略方形の左右一対の袖部と、該袖部を一定の長さ方向の間隔を隔てて固定する第１横架部材、第２横架部材及び第３横架部材とを有し、該第１横架部材、第２横架部材及び第３横架部材にそれぞれ形成された突出端部に、前記背もたれ部及び前記座面部の担架握り手部に設けた切欠部を嵌合・係止させて着脱可能に固定するようにしたことを特徴とする請求項１に記載の担架兼用長椅子。
【請求項４】
前記背もたれ部の下端部は、前記座面部の後端部よりも下方になるように配置され、かつ、背もたれ部の幅方向中心位置より下方位置で座面部の外側面と当接するようにしたことを特徴とする請求項１に記載の担架兼用長椅子。
【請求項５】
前記第１横架部材及び前記第２横架部材は、同一形状に形成され、かつ、前記第１横架部材及び前記第２横架部材の少なくとも一方の両端部に前記背もたれ部及び前記座面部の担架握り手部に設けた切欠部を受ける互いに相補形状をなす突出端部を設けたことを特徴とする請求項３の担架兼用長椅子。
【請求項６】
前記第３横架部材は、該横架部材の長手方向に前記背もたれ部の下端部が挿入される角型長溝と、該角型長溝を形成する相対的に高さの低い前端壁と、該前端壁よりも相対的に高さの高い後端壁とを有することを特徴とする請求項３に記載の担架兼用長椅子。
【請求項７】
前記背もたれ部及び前記座面部は、一対の長尺棒材と、該棒材間に掛け渡された複数の独立した桟板とを有し、該桟板の表面は、人間が座した場合及び背もたれた場合に、人体への当りを緩和するように一定の曲率半径による曲面としたことを特徴とする請求項１に記載の担架兼用長椅子。
【請求項８】
前記背もたれ部及び前記座面部の長手方向両端部に形成した一対の前記担架握り手部間には、担架搬送者の人体の一部が入るだけの空間部を形成したことを特徴とする請求項１に記載の担架兼用長椅子。
【請求項９】
略方形の左右一対の袖部と、該袖部を一定の長さ方向の間隔を隔てて固定する第１横架部材、第２横架部材及び第３横架部材と、地震・火災・人命救助等の緊急使用時に担架として使用できる背もたれ部及び、同様に地震・火災・人命救助等の緊急使用時に担架として使用できる座面部とを有し、これらの構成部材のすべてを互いに着脱可能としたことを特徴とする担架兼用長椅子。
【請求項１０】
略方形の左右一対の前記袖部の閉じられた略方形空間部には、前記第３横架部材の両端を支持する逆Ｌ字状部材が配置されていることを特徴とする請求項１又は請求項９に記載の担架兼用長椅子。
【請求項１１】
略方形の左右一対の前記袖部のいずれか一方若しくは両方に地震・火災・人命救助等の緊急時に使用可能な包帯、テープ、薬品等の応急処置用品を収納できる抽斗を設けたことを特徴とする請求項１又は請求項９に記載の担架兼用長椅子。
【請求項１２】
前記抽斗は、前記袖部の内側に配置されていることを特徴とする請求項１１に記載の担架兼用長椅子。
【発明の詳細な説明】
【技術分野】
【０００１】  本発明は、平常時は長椅子と使用でき、また、地震・火災・人命救助等の緊急時には担架として使用できる担架兼用長椅子に関する。
【背景技術】
【０００２】  公園や公共施設等で使用されているベンチを、災害や事故等の緊急時に必要な防災関連用品の収納容器及び担架として利用できるようにしたものは従来からある（例えば、特許文献１参照。）。
特許文献１には、防災関連用品等の物品を内部に収納可能な筐体と、その筐体上部開口を密封すると共に筐体から完全に分離可能な天板で構成し、当該天板の外側面に着座スペースを仕切るように凹凸形状を形成し、天板の内側面を担架として使用する際のベッド面したベンチが記載されている。
【特許文献１】  特開２００２−２３８６９９号公報
【発明の開示】
【発明が解決しようとする課題】
【０００３】  従来の上記のようなベンチでは、緊急時に使用できる担架が１台限りであり、怪我人等が複数いる場合に不便であること、通常のベンチとして使用する場合に座面に着座スペースを設けたのみであり、座り心地に殆んど配慮されていないこと、天板を担架として使用する場合には、該天板の両端部に把手をその都度取付けなければならず、怪我人等を早期に運ぶというように、一刻を争う緊急時には不便である等の解決すべき課題があった。【０００４】  本発明は、上記のような課題を解決するためになされたもので、平常時には快適に長椅子として使用でき、緊急時には素早く２台の担架として使用できるように臨機応変の機能を備えた担架兼用長椅子を提供することを目的とするものである。
【課題を解決するための手段】
【０００５】  本発明の上記課題を解決するための第１の手段は、請求項１に記載したように、地震・火災・人命救助等の緊急使用時に担架として使用できる背もたれ部及び、同様に地震・火災・人命救助等の緊急使用時に担架として使用できる座面部とを長椅子本体に対して着脱可能としたことを特徴とする担架兼用長椅子である。【０００６】  上記の構成により、救急時には背もたれ部及び座面部を長椅子本体から取り外し、即座に２台の担架として使用できるとともに、分解・組立ても容易であり、災害等の緊急時に間髪を入れずに対応が可能な担架兼用長椅子となっている。【０００７】  上記課題を解決するための本発明の第２の手段は、請求項２に記載したように、前記背もたれ部及び前記座面部は、同一形状に形成され２台の担架として使用できるようにしたことを特徴とする担架兼用長椅子である。【０００８】  上記の構成により２台の担架は、同一形状であるために製作コストを削減できるとともに、いずれも背もたれ部及び座面部どちらにも使用することができるので、特別の考慮を払うことなく組立も容易にできるという利点を有する。【０００９】  上記課題を解決するための本発明の第３の手段は、請求項３に記載したように、略方形の左右一対の袖部と、該袖部を一定の長さ方向の間隔を隔てて固定する第１横架部材、第２横架部材及び第３横架部材とを有し、該第１横架部材、第２横架部材及び第３横架部材にそれぞれ形成された突出端部に、前記背もたれ部及び前記座面部の担架握り手部に設けた切欠部を嵌合・係止させて固定するようにしたことを特徴とする担架兼用長椅子である。【００１０】  上記の構成により当該長椅子の背もたれ部及び座面部の長手方向両端部に設けた握り手部が、第１横架部材、第２横架部材及び第３横架部材にねじ締結手段等を用いることなく、単に突出端部と切欠部の嵌合・係止により固定されているので、容易に担架として分解・組立が可能となるとともに、それらの背もたれ部及び座面部が当該横架部材に対して安定的に固定することが可能となる。【００１１】  上記の課題を解決するための本発明の第４の手段は、請求項４に記載したように背もたれ部の下端部が、座面部の後端部よりも下方になるように配置され、かつ、背もたれ部の幅方向中心位置より下方位置で座面部の外側面と当接するようにしたことを特徴とする担架兼用長椅子である。【００１２】  上記の構成により、背もたれ部の反時計方向への回動を規制することができる。すなわち、背もたれ部の表面が座面部の後端部に当接することで背もたれ面の位置が規制される結果、反時計方向への回動に伴う背もたれ部の倒れ込みを防止することができる。【００１３】  上記課題を解決するための本発明の第５の手段は、請求項５に記載したように前記第１横架部材及び前記第２横架部材は、同一形状に形成され、かつ、前記第１横架部材及び前記第２横架部材の少なくとも両端部に前記背もたれ部及び前記座面部の担架握り手部に設けた切欠部を受ける相補形状をなす突出端部を設けたことを特徴とする担架兼用長椅子である。【００１４】  上記の構成により、製作コストを低減することができるとともに、担架として使用した後、再び長椅子として組み立てる場合に、背もたれ部と座���部の区別なく使用することができるので、組み立てが容易かつ短時間に行える利点を有する。【００１５】  上記課題を解決するための本発明の第６の手段は、請求項６に記載したように前記第３横架部材は、該横架部材の長手方向に前記背もたれ部の下端部が挿入される角型長溝と、該角型長溝を形成する相対的に高さの低い前端壁と、該前端壁よりも相対的に高さの高い後端壁とを有することを特徴とする担架兼用長椅子である。【００１６】  上記の構成により、第３横架部材に設けた角型長溝に背もたれ部の下端部を挿入することで、確実に背もたれ部の長さ方向中心軸線位置より下方位置で座面部の外側面と当接するようになり、かつ、相対的に高さの高い後端壁により背もたれ部の反時計方向の回動が阻止され、倒れ込みが確実に防止される。【００１７】  上記課題を解決するための本発明の第７の手段は、請求項７に記載したように、背もたれ部及び座面部が、一対の長尺棒材と、該棒材間に掛け渡された複数の独立した桟板とを有し、該桟板の表面は、人間が座した場合及び背もたれた場合に、人体への当りを緩和するように一定の曲率半径による曲面としたことを特徴とする担架兼用長椅子である。【００１８】  上記の構成により、平常時に長椅子として使用する場合に、桟板表面が一定の曲面で形成さているため、人体の尻部及び背中部への当りが緩和される効果がある。【００１９】  上記課題を解決するための本発明の第８の手段は、請求項８に記載したように背もたれ部及び座面部の長手方向両端部に形成した一対の担架握り手部間には、担架搬送者の人体の一部が入るだけの空間部を形成したことを特徴とする担架兼用長椅子である。【００２０】  上記の構成により、担架搬送者が救護者を担架に乗せて運ぶ際に、上記担架空間部に人体の一部を入れて運ぶことができ、緊急を要する搬送作業をスムーズに行うことができる。【００２１】  上記課題を解決するための本発明の第９の手段は、請求項９に記載したように略方形の左右一対の袖部と、該袖部を一定の長さ方向の間隔を隔てて固定する第１横架部材、第２横架部材及び第３横架部材と、地震・火災・人命救助等の緊急使用時に担架として使用できる背もたれ部及び、同様に地震・火災・人命救助等の緊急使用時に担架として使用できる座面部とを有し、これらの構成部材のすべてを互いに着脱可能としたことを特徴とする担架兼用長椅子である。【００２２】  上記の構成により、分解・組立が容易になり、特に災害等の救急時に即座に担架として使用でき、救助機能を備えた長椅子として好適である。【００２３】  上記課題を解決するための本発明の第１０の手段は、請求項１０に記載したように略方形の左右一対の袖部の略方形空間部には、第２横架部材の両端を支持する逆Ｌ字状部材が配置されていることを特徴とする担架兼用長椅子である。【００２４】  上記の構成により、人が座した場合に当該人の体重は、座面部及び背もたれ部を介して逆Ｌ字状部材に加わる。
すなわち、当該座面部及び背もたれ部には時計方向のモーメントが加わるが、このモーメントを生じさせる力を前記逆Ｌ字状部材により受け止め、補強部材としての役割を果たすことができる。【００２５】  上記課題を解決するための本発明の第１１の手段は、請求項１１に記載したように略方形の左右一対の前記袖部のいずれか一方若しくは両方に地震・火災・人命救助等の緊急時に使用可能な包帯、テープ、薬品等の応急処置用品を収納できる抽斗を設けたことを特徴とする担架兼用長椅子である。【００２６】  上記の構成により緊急時には応急処置用品を直ちに取り出すことができて便利かつ短時間に応急処置が可能となる。【００２７】上記課題を解決するための本発明の第１２の手段は、請求項１２に記載したように抽斗は、袖部の内側に配置されていることを特徴とする担架兼用長椅子である。【００２８】  上記の構成により、外部から特に目立つこともなく、必要に応じて即座に使用できる等の便宜性とデザイン性を兼ね備えている。
【発明の効果】
【００２９】  本発明は、上記課題を解決するための各手段に対応する効果としてそれぞれ記載したので、重複する面も否めないが概括的に述べれば以下のようになる。
（１）普段は、例えば市役所等の公共施設内のロビー等にデザイン性の良い２，３人掛けの長椅子として使用し、災害等の緊急時に座面部及び背もたれ部を分解して２台の担架として迅速に使用することが可能となる。【００３０】（２）担架として使用する場合に、当該担架の両端部に形成した担架握り手部及び人体の収まる空間部の形成により担架搬送者が持ち易く、かつ、救護者を無理なくスムーズに搬送することができる。【００３１】（３）構成部材のすべてを分解することができ、かつ、それぞれの構成部材はシンプルな形状・構造であるため、安価に製作することができるとともに、コンパクトな梱包・輸送が可能となる。
【発明を実施するための形態】
【００３２】  以下に、本発明の実施の形態を図に基き詳細に説明する。
図１は、本発明の実施の形態を示す担架兼用長椅子の各構成部品を表した分解斜視図である。
【００３３】  図において、担架兼用長椅子１は、外観が略方形の左右一対の袖部２，３と、この袖部２，３を一定の長さ方向の間隔を隔てて固定する第１横架部材４、第２横架部材５及び第３横架部材６を有している。
上記の第１横架部材４及び第２横架部材５は同一形状に形成されているが、左右の袖部２，３に対する取り付け角度を互いに９０度ずらして着脱可能に固定してある。
【００３４】  第３横架部材６は、後に詳述するが、特別の機能を持たせるため、上記の第１横架部材４及び第２横架部材５とは異なる形状に形成されている。この第３横架部材６の両端部は、前記袖部２，３の閉じられた方形空間部２１，３１に設けた逆Ｌ字状部材７，８の内側面に着脱可能に固定される。
【００３５】  図１において、９は背もたれ部、１０は座面部であり、これら背もたれ部９及び座面部１０は同一形状に形成され、担架兼用長椅子１から分解した場合にそれぞれ担架として機能するものである。このように背もたれ部９及び座面部１０を２台の担架として機能させるため、背もたれ部９の両端及び座面部の両端には、一対の担架握り手部９１，９２及び１０１，１０２が設けられている。
【００３６】  前記担架握り手部９１，９２，１０１，１０２はそれぞれ独立した別体として形成しても良いが、長尺棒材９３，９４，１０３，１０４の両端を加工して形成するようにしても良い。
互いに対向する一対の長尺棒材９３，９４及び同じく一対の長尺棒材１０３，１０４間には複数の独立した桟板９５，１０５が掛け渡され、この桟板９５，１０５の表面には、人間が座した場合及び背もたれた場合に、人体への当りを緩和するように一定の曲率半径による曲面に形成されている。
【００３７】  前記袖部２，３の内側面には、地震・火災・人命救助等の緊急時に使用可能な包帯、テープ、薬品等の応急処置用品を収納できる抽斗１１，１２が設けられている。
なお、これらの抽斗１１，１２は袖部２，３のいずれか一方に設けるようにしても良い。
【００３８】  かくして、担架兼用長椅子１の構成部品はすべて互いに着脱可能に固定され、必要応じて各構成部品に分解される。
図２は、上記構成部品を組み合わせて組み立てた後の担架兼用長椅子１の前方から見た斜視図、図３は同じく後方から見た斜視図である。
また、図４は同じく担架兼用長椅子１の平面図、図５はその正面図、図６はその右側面図である。
なお、図１で付した番号と同一番号のところは、同一構成部品若しくは同一部材を示す。
【００３９】  次に、図６を参照して本発明の更なる特徴を説明する。
すなわち、担架兼用長椅子１の背もたれ部９の下端部９７は、座面部１０の後端部１０６よりも下方になるように配置され、かつ、背もたれ部９の幅方向中心位置より下方位置で当該座面部の外側面と当接するようにしてある。
【００４０】  かかる構成により、背もたれ部９の反時計方向への回動を規制することができる。すなわち、背もたれ部９の表面が座面部１０の後端部１０６に当接することで背もたれ部９の位置が規制される結果、反時計方向への回動に伴う背もたれ部９の倒れ込みを防止することができる。
【００４１】  次に、図７ないし図１４を参照して担架として機能する背もたれ部９及び座面部１０の詳細を説明する。
なお、背もたれ部９と座面部１０は同一形状・同一構造に形成され、かつ、同一機能を有する担架として使用されるため、一方の背もたれ部９について説明し、他方の座面部１０については、背もたれ部９の後に括弧を付して座面部１０の各部の符号を付してその詳しい説明は省略する。
【００４２】  上記背もたれ部９の長手方向両端部には、一対の担架握り手部９１，９１及び一対の担架握り手部９２，９２が形成されている。これらの握り手部９１，９２は長尺棒材９３，９４と一体的に形成する場合の他、前記の握り手部９１，９２を長尺棒材９３，９４とは別体として形成し、当該長尺棒材９３，９４の端部にそれらと同一軸線になるように配慮して、ねじ込み等の手段により固定するようにしても良い。
【００４３】  図１１ないし図１４は、長尺棒材９３，９４とは別体として形成された握り手部９１，９２の詳細を示す図である。これらの図から明らかなように、握り手部９１，９２の長手方向には切欠部９６が形成されている。この切欠部９６は後述する第１横架部材４、第２横架部材５及び第３横架部材６の突出端部と嵌合・係止させるための形状となっている。
【００４４】  また、一対の上記長尺棒材９３，９４間には所定の間隔を隔てて多数の桟板９５が掛け渡されている。桟板９５の表面は、例えば２５００ｍｍＲ程度の曲率半径による曲面としてある。このため、人間が座した場合及び背もたれた場合に、かかる曲面により人体の当りが緩和される。
【００４５】  さらに、上記担架の長手方向両端における担架に握り手部９１，９１及び担架握り手部９２，９２間には、担架搬送者の人体の一部が入るだけの空間部Ｓ１，Ｓ２形成されている。このため、当該担架搬送者が救護者を担架に乗せて運ぶ際に、上記担架空間部に人体の一部を入れて運ぶことができ、緊急を要する搬送作業をスムーズに行うことができる等の効果がある。
【００４６】  図１５ないし図２０に、担架兼用長椅子１の袖部２，３を一定の長さ方向の間隔を隔てて固定する第１横架部材、第２横架部材及び第３横架部材の詳細を示す。
これらの図において、第１横架部材４と第２横架部材５とは同一形状に形成され、かつ、これらの第１横架部材４と第２横架部材５の両端部に前記背もたれ部９及び前記座面部１０の担架握り手部９１，９２，１０１，１０２に設けた切欠部９６を受ける互いに相補形状をなす突出端部４１（５１）が形成されている。
【００４７】  また、図１８ないし図２０に示す第３横架部材６には、図１８の斜視図から明らかなように、第３横架部材６の長手方向に背もたれ部９の下端部９７が挿入される角型長溝６１が形成され、この角型長溝６１を形成する相対的に高さの高い前端壁６２と、この前端壁６２よりも相対的に高さの高い後端壁６３とを有している。
【００４８】  上記のように構成の第１横架部材４及び第２横架部材５は、両側の袖部２，３に対して互いに角度を違えて着脱自在に固定される。すなわち、第１横架部材４は、その突出端部４１が略水平になるように袖部２，３に着脱自在に固定され、第２横架部材５は、その突出端部５１が略垂直になるように、同じく袖部２，３に着脱自在に固定される構成となっている。
【００４９】  このようにして、担架兼用長椅子１の構成部品・部材である袖部２，３、第１横架部材４，第２横架部材５，第３横架部材６、背もたれ部９及び座面部１０がすべて着脱自在となり、通常時は快適性を担保した長椅子として使用するが、地震・火災・人命救助等の緊急使用時には直ちに２台の担架と使用できるようになり、近年の防災意識の高まりと相俟って、その防災機材の一つとしてきわめて有用な発明となっている。
【００５０】  また、上記袖部２，３の閉じられた空間、すなわち略方形空間部２１，３１には、第３横架部材６を着脱自在に支持する逆Ｌ字状部材７，８が配置されている。この逆Ｌ字状部材７，８は袖部２，３の補強部材として役目を果たす。また、必ずしも「逆Ｌ字状」の形状に限定されないが、本発明ではデザイン上の外観的体裁を考慮してそのような形状としてある。
【００５１】  さらに、上記袖部２，３の内側には挿脱自在の抽斗１１，１２が配置されている。このため、地震・火災・人命救助等の緊急時に使用可能な包帯、テープ、薬品等の応急処置用品をその抽斗１１，１２に収納しておくことができる。
なお、当該抽斗１１，１２は必要に応じて上記袖部２，３の外側に配置することができるし、上記袖部２，３のいずらか一方に配置するようにしても良い。
【００５２】  上記の説明において、担架兼用長椅子の各構成部品・部材の材質については特に言及しなかったが、本発明者等は市有林等の地域資源の有効活用を図り、以って地域産業の活性化に寄与することを熱く企図するものであり、その一端として、例えば市有林から成る杉集製材の使用を考慮している。勿論、本発明は当該材質に限定されることなく、強度、重量、コスト等を勘案して種々の材質のものを部分的あるいは全体的に使用することが可能である。
【図面の簡単な説明】
【００５３】
【図１】  本発明の実施形態を示す担架兼用長椅子の分解斜視図である。
【図２】  同じく担架兼用長椅子の前方から見た斜視図である。
【図３】  同じく担架兼用長椅子の後方から見た斜視図である。
【図４】  同じく担架兼用長椅子の平面図である。
【図５】  同じく担架兼用長椅子の正面図である。
【図６】  同じく担架兼用長椅子の右側面図である。
【図７】  上記担架兼用長椅子の座面部若しくは背もたれ部を分解して得られた担架の斜視図である。
【図８】  上記担架の平面図である。
【図９】  上記担架の正面図である。
【図１０】  上記担架の右側面図である。
【図１１】  上記担架の両端部に設けられる担架握り手部の右方向から見た斜視図である。
【図１２】  同じく上記担架の両端部に設けられる担架握り手部の左方向から見た斜視図である。
【図１３】  同じく上記担架握り手部の平面図である。
【図１４】  同じく上記担架握り手部の正面図である。
【図１５】  同じく上記担架兼用長椅子に使用する第１横架部材及び第２横架部材の斜視図である。
【図１６】  上記第１横架部材及び第２横架部材の平面図である。
【図１７】  上記第１横架部材及び第２横架部材の正面図である。
【図１８】  同じく上記担架兼用長椅子に使用する第３横架部材の斜視図である。
【図１９】  上記第３横架部材の平面図である。
【図２０】  上記第３横架部材の正面図である。
【符号の説明】
【００５４】１                              担架兼用長椅子本体
２，３                          袖部
４                              第１横架部材
５                              第２横架部材
６                              第３横架部材
７，８                          逆Ｌ字状部材
９                              背もたれ部
１０                            座面部
１１，１２                      抽斗
２１，３１                      方形空間部
４１，５１                      突出端部
６１                            角型長溝
６２                            前端壁
６３                            後端壁
９１，９２，１０１，１０２      担架握り手部
９３，９４，１０３，１０４      長尺棒材
９５，１０５                    桟板
９６                            切欠部
９７                            下端部
１０６                          後端部
Ｓ１，Ｓ２                      空間部
【図１】
2012176210.tif 000003
【図２】
2012176210.tif 000004
【図３】
2012176210.tif 000005
【図４】
2012176210.tif 000006
【図５】
2012176210.tif 000007
【図６】
2012176210.tif 000008
【図７】
2012176210.tif 000009
【図８】
2012176210.tif 000010
【図９】
2012176210.tif 000011
【図１０】
2012176210.tif 000012
【図１１】
2012176210.tif 000013
【図１２】
2012176210.tif 000014
【図１３】
2012176210.tif 000015
【図１４】
2012176210.tif 000016
【図１５】
2012176210.tif 000017
【図１６】
2012176210.tif 000018
【図１７】
2012176210.tif 000019
【図１８】
2012176210.tif 000020
【図１９】
2012176210.tif 000021
【図２０】
2012176210.tif 000022
【手続補正書】
【提出日】平成23年10月28日(2011.10.28)
【手続補正１】
【補正対象書類名】特許請求の範囲
【補正対象項目名】請求項８
【補正方法】変更
【補正の内容】
【請求項８】
前記背もたれ部及び前記座面部の長手方向両端部に形成した一対の担架握り手部間には、担架搬送者の人体の一部が入るだけの空間部を形成したことを特徴とする請求項１に記載の担架兼用長椅子。
【手続補正２】
【補正対象書類名】特許請求の範囲
【補正対象項目名】請求項１０
【補正方法】変更
【補正の内容】
【請求項１０】
略方形の左右一対の前記袖部の閉じられた略方形空間部には、前記第３横架部材の両端を支持する逆Ｌ字状部材が配置されていることを特徴とする請求項９に記載の担架兼用長椅子。
【手続補正３】
【補正対象書類名】特許請求の範囲
【補正対象項目名】請求項１１
【補正方法】変更
【補正の内容】
【請求項１１】
略方形の左右一対の前記袖部のいずれか一方若しくは両方に地震・火災・人命救助等の緊急時に使用可能な包帯、テープ、薬品等の応急処置用品を収納できる袖斗を設けたことを特徴とする請求項９に記載の担架兼用長椅子。